(57)【要約】【課題】灯消耗部品（２２）または灯消耗部品（２２）を取付ける取付けユニット（４２）を保持するハウジング（２１）。【解決手段】ハウジングは、灯消耗部品（２２）を収容し、ハウジング（２１）内に取付けられたときに灯消耗部品から光を透過させることのできる少なくとも１つの開口部（２３）を含む。第１および第２の部分（２９Ａ）および（２９Ｂ）を有する電気接続手段は、取付けられた灯消耗部品に電力を提供する。保持手段は、磁気手段の第１の部分をさらに含み、細長アーム上に取付けられる磁気手段の第２の部分は、磁気手段の第１の部分に隣接して配置され、灯消耗部品または灯消耗部品を取付けるユニットをハウジング内から引き出すように開口部で磁力を提供することができる。【選択図】図１
2012515996.tif 000002
【特許請求の範囲】
【請求項１】
ａ．光消耗部品または前記灯消耗部品を取付ける取付けユニットと、
ｂ．前記灯消耗部品または前記取付けユニットを収容する少なくとも１つの開口部を有し、前記灯消耗部品を取付けるハウジングと、
ｃ．前記ハウジングに取付けられたときに前記灯消耗部品を電源に接続する電気接続手段と、
ｄ．前記光消耗部品または前記灯消耗部品を取付ける前記取付けユニットを前記ハウジングに脱離可能に保持する保持手段と、
を含み、
前記保持手段の少なくとも１つの素子が磁性を有する、灯消耗部品ハウジング装置。
【請求項２】
前記ハウジングが、内側スロートから大きい方の発光開口部へとつながる凹状本体を含む、請求項１による、灯消耗部品ハウジング装置。
【請求項３】
前記電気接続手段が、前記取付けられた灯消耗部品上の前記電気接続部の第１の部分を有し、前記ハウジングの前記スロートに取付けられた前記電気接続部の第２の部分との当接係合によって電気接続を形成する、請求項２による、灯消耗部品ハウジング装置。
【請求項４】
前記ハウジングが、前記ハウジングを天井空洞に脱離可能に取付けるバネ手段を含む、請求項１による、灯消耗部品ハウジング装置。
【請求項５】
前記保持手段が磁気手段の第１の部分を含み、細長アームに取付けられる前記磁気手段の第２の部分が、前記磁気手段の前記第１の部分に隣接して配置され、前記光消耗部品または前記灯消耗部品を取付ける前記ユニットを前記ハウジング内から引き出すように前記開口部に磁力を提供することができる、請求項１による、灯消耗部品ハウジング装置。
【請求項６】
前記保持手段が、少なくとも部分的に磁力によって、前記光消耗部品または前記灯消耗部品を取付ける前記取付けユニットを前記ハウジング内に脱離可能に保持するため、前記ハウジングの前記内側本体に配置される少なくとも１つの素子を含む、請求項１による、灯消耗部品ハウジング装置。
【請求項７】
前記保持手段が磁気手段の第１の部分をさらに含み、細長アームに取付けられる前記磁気手段の第２の部分が、前記磁気手段の前記第１の部分に隣接して配置され、前記光消耗部品または前記灯消耗部品を取付ける前記ユニットを前記ハウジング内から引き出すように前記開口部に磁力を提供することができる、請求項６による、灯消耗部品ハウジング装置。
【請求項８】
前記保持手段が、前記光消耗部品または前記灯消耗部品を取付ける取付けユニットを前記ハウジング内に保持するため、前記電気接続手段に保持素子を含む、および／または前記電気接続手段から間隔を置いた位置に保持素子を含む、請求項１による、灯消耗部品ハウジング装置。
【請求項９】
前記保持素子が、電気接続手段の第１の部分と前記電気接続手段の第２の部分とを係合させる磁石の第１の保持素子を備える、請求項６による、灯消耗部品ハウジング装置。
【請求項１０】
電気接続手段の第１の部分が前記ハウジングに取付けられ、あるいは前記ハウジングに一体化され、前記電気接続手段の第２の部分が前記灯消耗部品に取付けられ、あるいは前記灯消耗部品に一体化される、請求項１による、灯消耗部品ハウジング装置。
【請求項１１】
前記灯消耗部品が、前記ハウジングの前記開口部を補完し、前記開口部と略同一平面上に嵌合し、前記灯消耗部品の前記発光前面と略同一平面上にある円形前板を含む取付けユニットに取付けられており、前記保持手段は、磁力によって前記灯消耗部品を前記ハウジング内に維持するように、前記光消耗部品を取付ける前記取付けユニットの前記円形前板の後部を前記ハウジングの内側部の第２の磁気手段に脱離可能に保持する磁気手段を含み、前記灯消耗部品の遠位端で前記ハウジングの内側スロート内の電気接続を確保する、先行する請求項のいずれかによる、灯消耗部品ハウジング装置。
【請求項１２】
前記保持手段の第２の部分が、前記灯消耗部品を取付ける前記取付けユニットの前記円形前板の前記後部に固定される金属リングと係合する磁石である、請求項１１による、灯消耗部品ハウジング装置。
【請求項１３】
前記保持手段が、前記灯消耗部品と係合する磁石を含む、請求項１による、灯消耗部品ハウジング装置。
【請求項１４】
ハウジングと、前記ハウジングに嵌合する取外し可能取付けユニットと、前記取付けユニットに嵌合する灯消耗部品（外球）と、を有する、灯消耗部品交換システムであって、
ａ．前記ハウジングが略円錐状であり、前記灯消耗部品から光を放出させるために広い方の端部に開口部を有し、電気接続手段の第１および第２の部分を保持するために狭い方の端部にスロートを有し、当接係合を介して電気接続が行われ、
ｂ．前記灯消耗部品がクリップ式バネを介して前記取外し可能取付台に物理的に保持され、
ｃ．前記取外し可能取付けユニットが磁石を介して前記ハウジングの適所に保持され、
ｄ．前記灯消耗部品ハウジングおよび交換システムが２つのヘッドを有する棒をさらに含み、床などの灯消耗部品を取り替える離れた位置から、一方のヘッドが前記取外し可能取付けユニットを前記ハウジングに挿入し、他方のヘッドが前記取外し可能取付けユニットを前記ハウジングから退避させる、灯消耗部品交換システム。
【請求項１５】
前記保持手段の前記少なくとも１つの素子が前記ハウジングの前記本体に配置される、請求項１４による、灯消耗部品ハウジングおよび交換システム。
【請求項１６】
前記保持手段が、前記光消耗部品または前記灯消耗部品を取付ける前記ユニットの電気接続部と係合する磁石または摩擦素子を含む、請求項１４による、灯消耗部品ハウジングおよび交換システム。
【請求項１７】
前記保持手段が、磁力または摩擦力によって、光消耗部品または前記灯消耗部品を取付ける前記ユニットを前記ハウジング内に維持するように、前記開口部でまたは前記ハウジング内で前記灯消耗部品を脱離可能に保持し、前記灯消耗部品の遠位端での電気接続を確保することができる、請求項１４による、灯消耗部品ハウジングおよび交換システム。
【請求項１８】
前記保持手段が、前記灯消耗部品上の金属リングと係合する磁石を含むことができる、請求項１４による、灯消耗部品ハウジングおよび交換システム。
【請求項１９】
前記保持手段が、前記灯消耗部品または前記灯消耗部品を取付けるユニットと磁気的に係合する磁石を含むことができる、請求項１４による、灯消耗部品ハウジングおよび交換システム。
【請求項２０】
前記灯消耗部品交換システムが、前記取外し可能取付けユニットを前記ハウジングから取り外す、および前記ハウジングに挿入する細長交換棒を利用することができる、請求項１４による、灯消耗部品ハウジングおよび交換システム。
【請求項２１】
前記交換棒が前記交換棒の一端に第１の取外し部または第１のヘッドを含むことができ、前記嵌合部またはヘッドが前記光消耗部品または前記灯消耗部品を取付ける前記ユニットと相互作用すると、前記灯消耗部品が前記第１の取外し部またはヘッドの適所に保持される、請求項１４による、灯消耗部品ハウジングおよび交換システム。
【請求項２２】
前記第１の取外し部または第１のヘッドが磁気把持素子である、請求項１４による、灯消耗部品ハウジングおよび交換システム。
【請求項２３】
前記第１の取外し部または第１のヘッドが摩擦把持素子である、請求項１４による、灯消耗部品ハウジングおよび交換システム。
【請求項２４】
前記第１の取外し部または第１のヘッドが、前記取外し可能取付けユニットを前記ハウジングから取り外すために使用される、請求項１４による、灯消耗部品ハウジングおよび交換システム。
【請求項２５】
前記第１の取外し部または第１のヘッドが前記取外し可能取付けユニットに磁力または摩擦力を及ぼし、その力が前記取外し可能取付けユニットをハウジング内に保持する力よりも大きいため前記ハウジングの保持力を超えることによって、前記取外し可能取付けユニットを取り外すことができる、請求項１４による、灯消耗部品ハウジングおよび交換システム。
【請求項２６】
前記交換棒が、前記第１の取外し部または第１のヘッドに対する前記棒の対向端に配置される第２の挿入部または第２のヘッドを含む、請求項１４による、灯消耗部品ハウジングおよび交換システム。
【請求項２７】
前記第２の挿入部または第２のヘッドを第２の棒に配置することができる、請求項１４による、灯消耗部品ハウジングおよび交換システム。
【請求項２８】
前記第２の挿入部または第２のヘッドを磁気把持素子とすることができる、請求項１４による、灯消耗部品ハウジングおよび交換システム。
【請求項２９】
前記第２の挿入部または第２のヘッドが摩擦把持素子である、請求項１４による、灯消耗部品ハウジングおよび交換システム。
【請求項３０】
前記第２の挿入部または第２のヘッドが、前記取外し可能取付けユニットを前記ハウジングに挿入するために使用される、請求項１４による、灯消耗部品ハウジングおよび交換システム。
【請求項３１】
前記第２の挿入部または第２のヘッドが前記取外し可能取付けユニットに磁力または摩擦力を及ぼし、その力が前記ハウジングの及ぼす磁力または摩擦力よりも小さく、前記第２の挿入部または第２のヘッドが前記ハウジングに接触させられると、前記ハウジングによって及ぼされる力が前記第２の取外し部または第２のヘッドの保持力を超え、前記灯消耗部品を取付ける前記取外し可能取付けユニットを前記ハウジングに正確に取付ける、請求項１４による、灯消耗部品ハウジングおよび交換システム。
【請求項３２】
ａ．電気接続部を含む灯消耗部品と、前記灯消耗部品上の強磁性金属リングと係合する保持磁石とを含むハウジングを設けるステップと、
ｂ．各端に取外しヘッドとそれに対向する挿入ヘッドとである磁気把持ヘッドをそれぞれ有する細長交換棒を設けるステップであって、前記交換棒の前記取外しヘッドによって及ぼされる磁力が前記ハウジング内の前記保持磁石によって及ぼされる力よりも大きく、前記交換棒の前記挿入ヘッドによって及ぼされる力が前記ハウジング内の前記保持磁石によって及ぼされる力よりも小さいステップと、
ｃ．使用時に、前記一方のヘッドが前記強磁性金属リングに当接すると、前記取外しヘッドによって及ぼされる力が、前記ハウジング内の前記保持磁石によって及ぼされる力を超え、前記灯消耗部品を前記ハウジングから取り外すことができるのに十分なほど大きくなり、前記挿入ヘッドが前記灯消耗部品上の前記強磁性金属リングに当接し、前記灯消耗部品を前記ハウジング内に導入するのに使用されると、前記強磁性金属リング上の前記ハウジング内の前記保持磁石によって及ぼされる磁力が、前記灯消耗部品を前記挿入ヘッドから脱離させ前記ハウジング内に保持するのに十分なほど大きくなるステップと、
を含む、灯消耗部品ハウジングおよび交換システム。
【請求項３３】
ａ．前記光消耗部品または前記灯消耗部品を取付ける前記取付けユニットを収容する少なくとも１つの開口部と、ハウジングの一端の電気接続手段の第１の部分とを含む灯消耗部品交換システムにおいて使用されるハウジングを設ける、
ｂ．光消耗部品または前記灯消耗部品を取付ける前記ユニットを設け、前記電気接続手段の第２の部分を前記灯消耗部品に取付ける、
ｃ．前記灯消耗部品を脱離可能に保持し、少なくとも１つの素子が磁性を有する保持手段を設ける、
ｄ．対向端に第１の取外し部および第２の挿入部を配置する交換棒を設ける、
ｅ．前記棒の前記第１の嵌合端と灯消耗部品とを相互作用させて、前記ハウジング手段によって提供される磁力を超えることによって前記灯消耗部品を前記ハウジングから取り外す、
取外しステップを含む、灯消耗部品ハウジングおよび交換システム。
【請求項３４】
ａ．前記の棒前記第２の挿入部と前記灯消耗部品とを相互作用させて、前記棒の前記第２の挿入部によって提供される磁力を超える前記ハウジングの磁力によって達成されるように、前記灯消耗部品を前記開口部を通って前記ハウジングに挿入する、
取替ステップをさらに含む、請求項３３による、灯消耗部品ハウジングおよび交換システム。
【請求項３５】
図面を参照してほぼ上述されたような、灯消耗部品ハウジングおよび交換システム。
【請求項３６】
図面を参照してほぼ上述されたような、灯消耗部品ハウジング。
【請求項３７】
光消耗部品または前記灯消耗部品を取付ける取付けユニットを収容する灯消耗部品ハウジング装置であって、
ａ．内側スロートから大きい方の発光開口部につながる凹状本体を含み、前記灯消耗部品または前記灯消耗部品を取付ける前記取付けユニットを収容する開口部を形成するハウジングと、
ｂ．前記ハウジングに取付けられたときに前記灯消耗部品を電源に接続し、前記灯消耗部品または前記消耗部品を取付ける前記取付けユニット上に第１の部分を有し、前記ハウジングの前記スロートに取付けられる前記電気接続部の第２の部分との当接係合によって電気接続を形成する電気接続手段と、
ｃ．前記灯消耗部品を前記ハウジング内に維持するように、前記光消耗部品または前記灯消耗部品を取付ける前記取付けユニットの後部を前記ハウジングの内側部に脱離可能に保持する磁気手段を含み、前記ハウジングの前記内側スロート内で前記灯消耗部品の遠位端での電気接続を確保する保持手段であって、前記保持手段が、前記ハウジングの前記開口部を補完し、前記開口部と略同一平面上に嵌合し、前記灯消耗ハウジングの前記発光前面の略周囲で同一平面上にある円形前金属板を含み、磁気手段が前記円形前金属板と係合して、前記保持手段を容易に制圧し、前記光消耗部品または前記灯消耗部品を取付ける前記取付けユニットを前記ハウジングから取り外すことのできる保持手段と、
を含む、灯消耗部品ハウジング装置。
【請求項３８】
前記光消耗部品または前記灯消耗部品を取付ける前記取付けユニットの前記後部を前記ハウジングの内側部に保持する前記保持手段が磁気手段を備え、細長アームに取付けられる磁気手段が、前記円形前金属板に隣接して配置され、前記光消耗部品または前記灯消耗部品を取付ける前記ユニットを前記ハウジング内から引き出すように、前記保持手段の磁力より大きな磁力を前記開口部で提供することができる、請求項３７による、灯消耗部品ハウジング装置。
【請求項３９】
前記保持手段が、前記灯消耗部品を取付ける前記取付けユニットの前記円形前板の前記後部に固定された磁石を含む、請求項３８による、灯消耗部品ハウジング装置。
【請求項４０】
前記細長アームが、前記細長アームの端部に前記取外し可能取付けユニットを保持するのに十分な磁力または摩擦力を前記取外し可能取付けユニットに及ぼす挿入部またはヘッドを含み、その力が、前記ハウジングが及ぼし前記挿入部またはヘッドの保持力を超えるだけの磁力または摩擦力よりも小さく、前記灯消耗部品を取付ける前記取外し可能取付けユニットを前記ハウジング内に正確に取付ける、請求項３８による、灯消耗部品ハウジング装置。
【発明の詳細な説明】
【技術分野】
【０００１】
本発明は、灯消耗部品ハウジングおよび交換システム、特に、限定はされないが天井に取付けられるハロゲン「ダウンライト」灯消耗部品を収容し容易に交換することのできるシステムに関する。
【０００２】
「灯消耗部品」という用語は、本文書全体を通して、固有の制限された寿命または故障特性による、光源の使い捨て可能または取替可能な部分を意味するものとする。灯消耗部品は外球のみ、または取り替えられるその他の光源を含むことができる、あるいは外球および電源構造の一部および／または外球と同時に取替可能な物理的取付け具の一部などの多数の素子を含むことができる。
【背景技術】
【０００３】
照明器具は最も一般的には、天井または壁の高い部分に配置される。灯消耗部品を交換するには通常はしごが必要とされる。はしごの使用には固有のリスクがあり、中でも最も重大なリスクは高い場所からの落下による重大な傷害である。さらに、誰もがはしごに登ることができるわけではない。そうした人々は通常、その仕事をこなせる身体的能力のある人間を雇って灯消耗部品を交換してもらうため、通常職務を実行するのに必要な時間とコストがさらにかさむ。
【０００４】
人がはしごを使用せずに特定の灯消耗部品を交換できる装置がいくつか市販されている。これらの装置は通常、把持爪または吸引カップなどの把持装置を含む細長の棒である。これらの棒は、消耗部品を交換するのに両手を必要とする照明器具用に設計された灯消耗部品のために設計されておらず、そうした灯消耗部品を交換することができない。たとえば、ハロゲン「ダウンライト」照明器具などである。
【０００５】
ハロゲンダウンライトは天井に設置されることが非常に多く、表の平面とその周囲のみが見える。この形状の照明器具は、家庭内でも商業用施設でも非常に一般的である。
ハロゲンダウンライトは、１１０、２２０、または２４０ボルトなどの幹線供給電圧ではなく１２ボルトまたは２４ボルトなどの低電圧で動作することが最も多い。しかしながら、一部のハロゲンダウンライトは、幹線電源から直接電圧を使用するように設計されている。ハロゲンダウンライトが低電圧である場合、その電圧は変圧器によって降圧されて、照明器具に一定に供給される。
【０００６】
ハロゲンダウンライト器具は通常、２つの主要部を備える。第１の部分であるハウジングは天井に固定される。第２の部分は取外し可能であり、ハウジングにクリップ留めされる、あるいはねじ込まれる。灯消耗部品は取外し可能部に嵌合し、通常は保持バネまたは金属クリップを介して適所に保持される。
標準的ハロゲンダウンライトの灯消耗部品を取り替えるには、以下の機能を実行する必要がある。
−はしごに登る。
−照明器具の取外し可能取付け部を取り外す。
−電源接続部から灯消耗部品を切り離す。
−クリップを外して灯消耗部品を取り外す。
−新しい灯消耗部品を挿入する。
−電源接続部に再接続する。
−照明器具の取外し可能部を照明器具の固定部に再挿入する。
−はしごから降りる。
【発明の概要】
【発明が解決しようとする課題】
【０００７】
上記機能の大部分を実行するには両手を使う必要があるため、灯消耗部品を交換する人ははしごから非常に落下しやすい。
【０００８】
したがって、本発明の目的は、従来技術の欠点の１つまたはそれ以上を克服し、あるいは少なくとも実質上改善し、特に、灯消耗部品の取替を簡易化し、取替時の傷害リスクを軽減することである。
【課題を解決するための手段】
【０００９】
本発明は、灯消耗部品を収容する少なくとも１つの開口部または灯消耗部品を取付ける取付けユニットを有するハウジングと、ハウジング内に取付けられる際に灯消耗部品の電源に接続する電気接続手段の少なくとも一部と、灯消耗部品または灯消耗部品を取付ける取付けユニットを脱離可能にハウジングに保持する保持手段と、を含み、保持手段の少なくとも１つの素子が磁性を有する一形状の灯消耗部品ハウジング装置を提供する。
ハウジングは、取付けられた灯消耗部品の電気接続部の第１の部分を収容するスロートを有し、スロートに取付けられた電気接続部の第２の部分と開口部との当接係合によって大きい方の端部に電気接続を形成して、取付けられ使用される際に灯消耗部品から光を出射させる凹状本体を含むことができる。
【００１０】
保持手段は、灯消耗部品または灯消耗部品を取付ける取付けユニットをハウジング内に脱離可能に保持するバネ手段を含むことができる。
【００１１】
保持手段は、少なくとも部分的に磁力によって、灯消耗部品または灯消耗部品を取付ける取付けユニットをハウジング内に脱離可能に保持するため、ハウジングの内側本体に配置される少なくとも１つの素子を含むことができる。
【００１２】
保持手段は、光消耗部品または光消耗部品を取付ける取付けユニットをハウジング内に保持するため、電気接続手段に保持素子を、および／または電気接続手段から離れた位置に保持素子を含むことができる。
【００１３】
保持手段は、電気接続手段の第１の部分と電気接続手段の第２の部分とを係合させる磁石の第１の保持素子を含むことができる。
【００１４】
電気接続手段の第１の部分はハウジング上にまたはハウジングと一体的に取付けることができ、電気接続手段の第２の部分は灯消耗部品上にまたは灯消耗部品と一体的に取付けることができる。
【００１５】
保持手段は、ハウジングと光消耗部品または光消耗部品を取付ける取付けユニットとを係合させる磁石の第２の保持素子を含むことができる。
【００１６】
保持手段は、磁力によって、灯消耗部品をハウジング内に維持するように、ハウジングの開口部で光消耗部品または光消耗部品を取付ける取付けユニットを脱離可能に保持して、灯消耗部品の遠位端での電気接続を確保することができる。
【００１７】
一形状では、灯消耗部品は、ハウジングの開口部を補完し、該開口部と略同一平面上に嵌合し、灯消耗部品の発光前面と略同一平面上にある円形前板を含む取付けユニットに取付けられており、保持手段は、磁力によって灯消耗部品をハウジング内に維持するように、光消耗部品を取付ける取付けユニットの円形前板の後部をハウジングの内側部の第２の磁気手段に脱離可能に保持する磁気手段を含み、灯消耗部品の遠位端でハウジングの内側スロート内の電気接続を確保する。
【００１８】
保持手段の第２の保持素子は、光消耗部品を取付ける取付けユニットを形成する金属リングと係合する磁石とすることができる。保持手段は、灯消耗部品と係合する磁石を含むことができる。
【００１９】
本発明の特に好適な形状は、ハウジングと、ハウジングに嵌合する取外し可能取付けユニットと、取付けユニットに嵌合する灯消耗部品（外球）と、を有する灯消耗部品ハウジングおよび交換システムを含み、ハウジングはほぼ円錐状で、灯消耗部品から光を放射させるために広い方の端部に開口部を有し、第１および第２の部分を保持するために狭い方の端部にスロートを有し、該システムは当接係合を介して電気接続を行う電気接続手段を有し、灯消耗部品はクリップ式バネを介して取外し可能取付け台に物理的に保持され、取外し可能取付けユニットは磁石を介してハウジングに適所に保持され、灯消耗部品ハウジングおよび交換システムは２つのヘッドを有する棒をさらに含み、床などの灯消耗部品を取り替える離れた位置から、一方のヘッドは取外し可能取付けユニットをハウジングに挿入し、他方のヘッドは取外し可能取付けユニットをハウジングから退避させる。
【００２０】
保持手段の少なくとも１つの素子は、ハウジング本体に配置することができる。
保持手段は、光消耗部品または光消耗部品を取付けるユニットの電気接続部と係合する磁石または摩擦装置を含むことができる。保持手段は、磁力または摩擦力によって、光消耗部品または光消耗部品を取付けるユニットをハウジング内に維持するように、開口部にまたはハウジング内に灯消耗部品を脱離可能に保持し、灯消耗部品の遠位端での電気接続を確保することができる。
【００２１】
保持手段は、灯消耗部品上の金属リングと係合する磁石を含むことができる。保持手段は、灯消耗部品または灯消耗部品を取付けるユニットと磁気的に係合する磁石を含むことができる。
【００２２】
灯消耗部品交換システムは、取外し可能取付けユニットをハウジングから取り外す、およびハウジングに挿入する細長交換棒を利用することができる。
【００２３】
交換棒は、交換棒の一端に位置する第１の取外し部または第１のヘッドを含むことができ、嵌合部またはヘッドが光消耗部品または光消耗部品を取付けるユニットと相互作用すると、灯消耗部品は第１の取外し部またはヘッド上の適所に保持される。
【００２４】
第１の取外し部または第１のヘッドは磁気把持素子である。もしくは、第１の取外し部または第１のヘッドは摩擦把持素子である。第１の取外し部または第１のヘッドは、取外し可能取付けユニットをハウジングから取り外すために使用される。第１の取外し部または第１のヘッドは、取外し可能取付けユニットに磁力または摩擦力を及ぼす。その力は取外し可能取付けユニットをハウジング内に保持する力より大きいため、ハウジングの保持力を超えることによって取外し可能取付けユニットを取り外すことができる。
【００２５】
交換棒は、第１の取外し部または第１のヘッドに対して棒の対向端に配置される第２の挿入部または第２のヘッドを含むことができる。もしくは、第２の挿入部または第２のヘッドは第２の棒に配置することができる。第２の挿入部または第２のヘッドは磁気把持素子とすることができる。もしくは、第２の挿入部または第２のヘッドは摩擦把持素子である。
【００２６】
第２の挿入部または第２のヘッドは、取外し可能取付けユニットをハウジングに挿入するために使用される。第２の挿入部または第２のヘッドは、取外し可能取付けユニットに磁力または摩擦力を及ぼす。その力は、ハウジングが及ぼす磁力または摩擦力よりも小さい。第２の挿入部または第２のヘッドがハウジングと接触させられると、ハウジングによって及ぼされる力が第２の取外し部または第２のヘッドの保持力を超え、前記灯消耗部品を取付ける前記取外し可能取付けユニットを正確にハウジング内に配置させる。
【００２７】
さらに、本発明は一形状において、電気接続部と灯消耗部品上の強磁性金属リングと係合する保持磁石とを含む灯消耗部品を備えるハウジングを提供するステップと、各端に取外しヘッドとそれに対向する挿入ヘッドとである磁気把持ヘッドを有する細長交換棒を設けるステップとを含み、交換棒の取外しヘッドによって及ぼされる磁力がハウジング内の保持磁石によって及ぼされる力よりも大きく、交換棒の挿入ヘッドによって及ぼされる磁力がハウジング内の保持磁石によって及ぼされる力よりも小さい灯消耗部品ハウジングおよび交換システムであって、使用時に、一方のヘッドが強磁性金属リングに当接すると、取外しヘッドによって及ぼされる力がハウジング内の保持磁石によって及ぼされる力を超えるのに十分なほど大きくなり、灯消耗部品をハウジングから取り外すことが可能になり、挿入ヘッドが灯消耗部品上の強磁性金属リングに当接して、灯消耗部品をハウジング内に誘導するために使用されると、強磁性金属リング上のハウジング内の保持磁石によって及ぼされる力が灯消耗部品を挿入ヘッドから脱離させ、ハウジング内に保持するのに十分なほど大きくなる灯消耗部品ハウジングおよび交換システムを提供する。
【００２８】
本発明は、灯消耗部品を脱離可能に固定する保持手段である磁気素子を有するハウジングと、灯消耗部品と相互作用する取外し棒とを含み、灯消耗部品をハウジングから取り外す、あるいはハウジングに挿入することのできる灯消耗部品交換システムを提供することが分かる。棒は一対の嵌合部を含み、一方は灯消耗部品をハウジングから取り外すためのもので、他方は灯消耗部品をハウジングに挿入するためのもので、両嵌合手段とも磁力または摩擦力のいずれかを灯消耗部品に及ぼす。
【００２９】
このシステムの別の主要な利点は、取付けユニットと様々なハウジングとを使用することによって修正なく標準的な既知の灯消耗部品を使用するように適合可能であることである。このように、外球産業に影響が及ぶことがない。しかしながら、別の側面では、改造された灯消耗部品が他の理由で作製される場合、取付けユニットを使用して本発明のハウジングにそれを組み込むことができる。
【００３０】
さらに、本発明は、
ａ）灯消耗部品または灯消耗部品を取付ける取付けユニットを収容する少なくとも１つの開口部と、ハウジングの一端の電気接続手段の第１の部分とを含む灯消耗部品交換システムにおいて使用されるハウジングを設けるステップと、
ｂ）光消耗部品または光消耗部品を取付けるユニットを設け、灯消耗部品に電気接続手段の第２の部分を取付けるステップと、
ｃ）灯消耗部品を脱離可能に保持する保持手段であって、少なくとも１つの素子が磁性を有する保持手段を設けるステップと、
ｄ）第１の取外し部および第２の挿入部を対向端に配置する交換棒を設けるステップと、
ｅ）棒の第１の嵌合端と灯消耗部品とを相互作用させて、ハウジング手段によって提供される磁力を超えることによって灯消耗部品をハウジングから取り外すステップと、
を含むことのできる灯消耗部品ハウジングおよび交換システムを提供する。
【００３１】
本発明の灯消耗部品ハウジングおよび交換システムは、
ａ）灯消耗部品または灯消耗部品を取付ける取付けユニットを収容する少なくとも１つの開口部と、一端の電気接続手段と、灯消耗部品を脱離可能に保持する保持手段とを含む灯消耗部品交換システムにおいて使用されるハウジングを設けるステップと、
ｂ）第１の取外し部および第２の挿入部を対向端に配置する交換棒を設けるステップと、
ｃ）棒の第２の挿入部と灯消耗部品を相互作用させて、ハウジングの磁力が棒の第２の挿入部によって提供される磁力を超えることによって達成されるように、開口部を通って灯消耗部品をハウジングに挿入するステップと、
を含むことができる棒。
【図面の簡単な説明】
【００３２】
本発明をより容易に理解できるようにするため、図面を参照して非限定的な例により実施形態を説明する。
【図１】本発明に係る灯消耗部品交換システムにおいて使用される装置の第１の実施形態の透視図であり、該装置は灯消耗部品用のハウジングを含む。
【図２】本発明に係る灯消耗部品交換システムにおいて使用される装置の第２の実施形態の透視図であり、該装置はハウジングを天井空洞などに取付けるためのバネ台を有するハウジングを含む。
【図３】ハウジングと、灯消耗部品および電気コネクタを装着した取外し可能取付けユニットとを含む図２の装置の第２の実施形態の概略図である。
【図４】本発明に係る灯消耗部品交換システムにおいて使用される装置の第１および第２の実施形態で使用される電気接続手段の透視図であり、該電気接続手段は第１の部分および第２の部分を含む。
【図５】本発明に係る灯消耗部品交換システムにおいて使用される装置の第１および第２の実施形態の下面図であり、該装置はハウジングリングと、取外し可能取付けユニットの一部である金属リングと、灯消耗部品の光透過開口部とを含む。
【図６】本発明に係る灯消耗部品交換システムにおいて使用される装置の第１または第２の実施形態で使用される交換棒の概略図である。
【図７】本発明に係る灯消耗部品交換システムにおいて使用される装置の第１の実施形態の側面図であり、該装置はハウジングと灯消耗部品を取付ける取外し可能取付けユニットとを含む。
【図８】図７の装置のＢ−Ｂに沿った断面図である。
【図９】本発明に係る灯消耗部品交換システムにおいて使用される装置の第２の実施形態の側面図であり、該装置はハウジングと灯消耗部品を取付ける取外し可能取付けユニットとを含む。
【図１０】縦軸を中心に９０度回転させた図９の装置の側面図である。
【図１１】灯消耗部品無しの第２の実施形態で使用される装置のハウジングの、図９の装置のＡ−Ａに沿った概略断面図である。
【図１２】図９の装置内で灯消耗部品が取付けられた取外し可能取付けユニットのＡ−Ａに沿った断面図である。
【図１３】第２の実施形態において使用される装置のハウジングおよび灯消耗部品の、図９の装置のＡ−Ａに沿った概略断面図である。
【発明を実施するための形態】
【００３３】
図面を参照すると、図１〜３および５には、本発明の灯消耗部品ハウジングおよび交換システムにおいて使用されるハウジングが具体的に示されている。ハウジング２１は、ハウジング長に沿って延在し、内部に取付けられた灯消耗部品用の冷却路を提供するスリット開口部を備えた壁によって形成される略円錐状の本体を含む。
【００３４】
ハウジング２１は、最大の端部に、取付けられた灯消耗部品から光を放射させる開口部２３を有し、対向する狭い端部に、電気接続手段の１つの部分２９Ａを保持する、あるいは一体的に有するスロート２４を有する。開口部２３の対向端のスロート２４は、取付けられた灯消耗部品の電気接続手段の第２の部分２９Ｂを収容し、当接係合によって電気接続手段の少なくとも１つの部分と電気接続をするようにより小さなサイズとされる。これについては後で詳述する。
【００３５】
ハウジング２１の略円錐状本体の外側は、ハウジングの外縁に、ハウジングリングの裏４１から延在する２つの径両端に位置するハウジング直立材３１を含む。径両端に位置するハウジング直立材３１は、壁または天井空洞の支持素子と弾性的に係合するためにバネ台３２に取り付けられており、ハウジング２１の略円錐状本体のベースの表面のみが見える図５では、ハウジングリング４１の外側正面である外側リングと、灯消耗部品を取付ける取外し可能取付けユニットの一部である環状のより小さな金属リング４２と、ハウジング２１内の取付けられた灯消耗部品２２から光を透過させるため、開放される、あるいは開口部２３を設けたガラス板によって覆われる光透過開口部４３とが示される。
【００３６】
したがって、灯消耗部品交換システムは、灯消耗部品２２または灯消耗部品２２を取付ける取付けユニット４２を保持するハウジング２１の基本素子を含むと考えられる。ハウジングは、灯消耗部品２２を収容し、ハウジング２１に取付けられたときに灯消耗部品からの光を透過させることのできる少なくとも１つの開口部２３を含む。第１の部分と第２の部分２９Ａおよび２９Ｂを有する電気接続手段は、取付けられた灯消耗部品に電力を提供する。
【００３７】
図７〜１３を参照すると、灯消耗部品２２または光消耗部品を取付ける取付けユニットを維持するため、少なくとも１つの磁気素子によって灯消耗部品または取外し可能取付けユニットを脱離可能に保持する保持手段３５が設けられている。保持手段３５は、ハウジング２１と灯消耗部品２２または図８に示されるように、灯消耗部品２２を取付ける金属リング４２である取付けユニットとを係合させる磁石の保持素子を含む。ハウジングの内部スロート２４と電気接続手段の第１および第２の部分２９Ａおよび２９Ｂとの成形の結果、保持手段の位置合わせが行われ、電気接続手段の第１の部分２９Ａと電気接続手段の第２の部分２９Ｂ間の当接によって電気接続が確保される。
【００３８】
電気的接触を確保するため、電気接続手段の第１の部分２９Ａと電気接続手段の第２の部分２９Ｂとの接続部は相補形にすることができる、あるいは図４に示すように、一方は中央接触子と外側環状接触子とを有し、他方はマッチング中央接触子と２つの径方向に対向する接触子とを有することによって、ハウジング２１内への灯消耗部品２５の取付けの相対的回転方向にかかわらず接続を提供する２つのフォスロ・シュワーベセラミック電気コネクタとすることができる。
【００３９】
ハウジング手段は、灯消耗部品を取付ける取外し可能取付けユニット４２の一部を構成するリングの強磁性材と吸引する形状の磁気素子３５である。１２ボルトのダウンライト器具の目的上、一体型反射円錐形ガラス枠と外側前フランジとを有する外球２５の発光源と、反射円錐形枠の一端で部分２９Ｂに嵌合する電気接続部と、外球２５の外側前フランジに係合して該フランジを摩擦保持する金属保持リング４２である取外し可能取付けユニットの部分と、を含む灯消耗部品が含まれる。
【００４０】
本発明は新規のハウジングを提供するだけでなく、より具体的には灯消耗部品ハウジングおよび交換システムを提供する。これには、ハウジングと、灯消耗部品を取付ける取外し可能取付けユニットと、電気接続部と、取外し可能取付けユニットに係合する保持磁石とを提供することも含まれる。しかしながら、細長ポール５３の各端に磁気把持ヘッド５２を有する細長交換棒５１を提供することも含まれる。磁気把持ヘッド５２は、取外しヘッドとそれに対向する挿入ヘッドとを含む。
【００４１】
磁気把持ヘッド５２は、灯消耗部品２２を取付ける金属製の取外し可能取付けユニット４２のサイズに相当するリング装置に配置される磁気素子５４を有する。
保持手段３５の磁気素子も、取外し可能取付けユニット４２を磁気的に維持することによってハウジング２１内の灯消耗部品を磁気的に維持するように、灯消耗部品２２を取付ける金属製の取外し可能取付けユニット４２の径方向寸法内でサイズを調整され、ハウジングの内側に取付けられる。
【００４２】
交換棒の各端で磁気把持ヘッド５２によって及ぼされる磁力と保持手段３５と取外し可能取付けユニット４２との磁気接続によって及ぼされる磁力との差は、遠隔から利用可能なシステムを提供するために重要である。具体的には、交換棒５１の取外しヘッドの磁気接続によって及ぼされる磁力はハウジング２１内の保持手段３５磁石によって及ぼされる力よりも大きく、交換棒５１の挿入ヘッドとの磁気接続によって及ぼされる磁力はハウジング内の保持手段磁石によって及ぼされる力よりも小さい。
【００４３】
したがって、使用時に、一方のヘッドが取外し可能取付けユニット４２に当接すると、交換棒５１の取外しヘッドによって及ぼされる力はハウジング内の保持手段磁石によって及ぼされる力を超えるのに十分なほど大きいため、灯消耗部品２２を取付ける取外し可能取付けユニットをハウジング２１から取り外すことができる。同様に、挿入ヘッドが取外し可能取付けユニット４２に当接して、灯消耗部品２２をハウジング２１内に誘導するのに使用されると、取外し可能取付けユニット４２上のハウジング２１内の保持手段３５磁石によって及ぼされる力は、灯消耗部品を取付ける取外し可能取付けユニットを交換棒５１の挿入ヘッドから脱離させてハウジング２１内に保持させるのに十分なほど大きくなる。これにより、保持手段は、ハウジング内に灯消耗部品を維持するように、磁力によってハウジングの開口部で灯消耗部品を取付ける取外し可能取付けユニットを脱離可能に保持して、灯消耗部品の遠位端での電気接続を確保することができる。
【００４４】
図５および６を参照すると、交換棒５１は棒の各端に位置する２つのヘッド５２を含む。もしくは、各端に１つのヘッドを有する２つの個別の棒を使用することができる。各ヘッドは、ユニットを吸引する磁性材料を含む。各ヘッドが及ぼす力は異なっている。
１つの棒のヘッドが及ぼす磁力は、灯消耗部品を保持するユニットをハウジング内に保持するために使用される磁力よりも大きい。第１のヘッドがユニットに接触させられると、その磁力はユニットをハウジング内に保持する磁力を超え、ユニットは第１のヘッドに吸引される。その後、第１のヘッドは地面まで降下して、そこで灯消耗部品が物理的に取り替えられる。
【００４５】
第２の棒のヘッドが及ぼす磁力は、灯消耗部品を保持するユニットをハウジング内に保持するために使用される磁力よりも小さく、ユニット（動作する灯消耗部品が挿入されている）は第２のヘッドの磁力によって吸引され、第２のヘッド上に保持される。ユニットがハウジングに接触させられると、ハウジングの磁力が第２のヘッド上にユニットを保持する磁力を超え、灯消耗部品交換工程が完了する。
【００４６】
交換棒５１は、天井に位置する灯ハウジングに届くのに十分な長さを有するべきである。灯ハウジングに棒が届かない場合、長さを延長するために棒を伸縮させることができる。
【００４７】
したがって、使用時に、本発明の灯消耗部品交換システムは、灯消耗部品を収容する少なくとも１つの開口部と、一端に電気接続手段と、灯消耗部品を取付ける取外し可能取付けユニットを脱離可能に保持する保持手段と、を含むハウジングを使用する。次に、該システムは、第１の取外し部および第２の挿入部を対向端にそれぞれ配置した交換棒を使用し、棒の第１の嵌合端と灯消耗部品を取付ける取外し可能取付けユニットとを相互作用させることによって、ハウジング手段により提供される磁力を超えることで灯消耗部品をハウジングから取り外す。
【００４８】
同様に、逆に、棒の第２の挿入部と灯消耗部品を取付ける取外し可能取付けユニットとを相互作用させることによって、ハウジングの磁力が棒の第２の挿入部によって提供される磁力を超え、灯消耗部品が開口部を通ってハウジングに挿入される。ここでは灯消耗部品ハウジングおよび交換システムの特定の実施形態を説明したが、本発明の他の実施形態が任意の数の上述の特徴および上述の特徴の任意の組み合わせを発揮できるとも考えられる。しかしながら、当業者によって容易に理解され、本発明の精神を逸脱せずに発明性なしでも実行される変形および修正も、本発明の範囲に含まれると理解すべきである。
【００４９】
たとえば、他の実施形態は、磁気素子の摩擦素子への置き換えを含むことができる。３つの磁気素子、すなわち、灯消耗部品をハウジング内に保持するユニットを固定する磁気保持素子、交換棒の第１のヘッド、および交換棒の第２のヘッドのうちの１つまたはそれ以上を摩擦素子と置き換えることができる。灯消耗部品をハウジング内に保持するユニットを保持する力である重要なファクタは、第１のヘッドによって及ぼされる力よりも小さく、第２のヘッドによって及ぼされる力よりも大きくなければならない。より具体的には、磁気接続の利用により、摩擦力の使用は磁気保持力を破るだけでよく、灯消耗部品を脱離させて交換するのに両手の同時運動を必要としない。
【００５０】
少なくとも１つの磁気保持素子の恩恵を維持しつつ、多数の素子選択肢が存在する。たとえば、磁気保持素子と摩擦素子とを組み合わせた後、ねじりロック手段や把持爪など、磁気素子と組みわせた他の機構を使用することである。
磁気素子を置き換えた結果、以下のような組み合わせが生じる。
ａ）磁気挿入嵌合部、磁気取外し嵌合部、およびハウジング内の磁気保持素子、
ｂ）磁気挿入嵌合部、磁気取外し嵌合部、およびハウジング内の摩擦保持素子、
ｃ）磁気挿入嵌合部、摩擦取外し嵌合部、およびハウジング内の磁気保持素子、
ｄ）磁気挿入嵌合部、摩擦取外し嵌合部、およびハウジング内の摩擦保持素子、
ｅ）摩擦挿入嵌合部、磁気取外し嵌合部、およびハウジング内の磁気保持素子、
ｆ）摩擦挿入嵌合部、磁気取外し嵌合部、およびハウジング内の摩擦保持素子、および
ｇ）摩擦挿入嵌合部、摩擦取外し嵌合部、およびハウジング内の磁気保持素子
【００５１】
さらに別の実施形態では、異なる磁気強度の２つの磁気ヘッドの棒を、ヘッドの磁気強度を変動させることのできる装置を有する単独ヘッドの棒と置き換えることができる。別の実施形態は、１つの棒の各端にヘッドを設ける代わりに、別の棒に１つのヘッドを配置することを含むことができる。これらのおよびその他の変形は、以下の請求項で定義される本発明の範囲に含まれる。
【図１】
2012515996.tif 000003
【図２】
2012515996.tif 000004
【図３】
2012515996.tif 000005
【図４】
2012515996.tif 000006
【図５】
2012515996.tif 000007
【図６】
2012515996.tif 000008
【図７】
2012515996.tif 000009
【図８】
2012515996.tif 000010
【図９】
2012515996.tif 000011
【図１０】
2012515996.tif 000012
【図１１】
2012515996.tif 000013
【図１２】
2012515996.tif 000014
【図１３】
2012515996.tif 000015
【国際調査報告】
2012515996.tif 000016
2012515996.tif 000017
2012515996.tif 000018
2012515996.tif 000019